(57)【要約】【課題】  カーポートの屋根が強風で煽られることによって，該屋根を支承するサポート支柱上端の引掛金具と梁に設置した支持金具が金属騒音を発生するのを防止する。【解決手段】  梁２に設置した支持金具１０に支持杆１４を配置し，サポート支柱４上端に設置した円筒引掛金具２０の上端に円の中心線上の対向位置に開口して同一方向に横向きをなすように倒Ｌ字状にして対向一対にして上記支持杆１４の外径と略等しいＬ字状引掛溝２１を配置することによって，上記支持杆１４をＬ字状引掛溝２１に受入れるように円筒引掛金具２０を回動して双方の連結を行なうようにする。支持杆１４は対向一対のＬ字状引掛溝２１の先端に位置して揺動することがないから，屋根の煽りによる金属騒音を解消でき，サポート支柱４による屋根３自由端の支承を確実且つ強固になし得るものとなる。【選択図】        図３
2006052580.tif 000002
【特許請求の範囲】
【請求項１】
屋根自由端に取付固定自在の取付基部及びその下位に水平に配置した所定長さの支持杆を有する屋根側の支持金具と，サポート支柱上端中空部に嵌挿固定自在にして上記支持杆の長さより短い外径寸法の円筒状にして，その円周方向１８０度の対向位置上端に上向き開口する受入溝とこれに連続して円周の同一方向に向けて同長の長さとするとともに上記支持杆の外径と略等しくこれよりやや広い溝幅の横溝とにより倒Ｌ字状をなす対向一対のＬ字状引掛溝を有するサポート支柱側の円筒引掛金具とを備えてなることを特徴とする片持ちカーポートのサポート支柱上端連結装置。
【請求項２】
上記円筒引掛金具の横溝における同長の長さを１／８円とし且つその受入溝をサポート支柱中心線から１／８円の角度に変位した位置に配置することによって，サポート支柱の１／８円回動による支持金具の支持杆への引掛係合を自在としてなることを特徴とする請求項１に記載の片持ちカーポートのサポート支柱上端連結装置。
【請求項３】
上記支持金具の取付基部を，梁先端に被嵌しボルトナットで締着固定するＵ字状に形成し且つ支持杆を，該Ｕ字状の取付基部から突出した一対の対向突片に架設設置した断面円形に形成してなることを特徴とする請求項１又は２に記載の片持ちカーポートのサポート支柱上端連結装置。
【請求項４】
上記一対の対向突片を，Ｕ字状の取付基部の底板から垂下して突出し上記支持杆を梁先端下位にしてその直交方向に向けて配置してなることを特徴とする請求項３に記載の片持ちカーポートのサポート支柱上端連結装置。
【発明の詳細な説明】
【技術分野】
【０００１】
本発明は，片持ちカーポートの屋根自由端をサポート支柱で支承するに際して屋根自由端にサポート支柱を連結するに用いる片持ちカーポートのサポート支柱上端連結装置に関する。
【背景技術】
【０００２】
この種片持ちカーポートは，その支柱に屋根を片持ちすることによって，該屋根の強風による煽りや降雪による垂れ下がりを防止し，屋根に耐風圧性や耐加重性を付与するように，屋根先端や梁先端の屋根自由端と地表との間にサポート支柱を介設し，該サポート支柱によって屋根自由端を支承するものとされ，該屋根自由端とサポート支柱とは，屋根自由端に支持金具を，サポート支柱上端に引掛金具を配置してこれらを引掛係合することによってこれらを着脱自在に連結し，地表とサポート金具とは，地表にフック受を有する埋込金具を，サポート支柱下端にフックを有するフック金具を配置して，同じくこれらフック受にフックを引掛係合することによってこれらを着脱自在に連結し，屋根自由端の支承が不要な時期には，該サポート支柱を取り外して，屋根片側に配置した支柱に上部金具と下部金具を設置し，これらに上記引掛金具とフック金具を支持することによって該支柱に添設してその収納を行なうものとされている。
【０００３】
このとき屋根自由端の支持金具は，例えば底板に梁直交方向に向けた水平溝を有するＵ字状に形成し，底板が梁の下面から離隔するように梁先端にボルトナットによって締着固定するものとされ，またサポート支柱上端の引掛金具は，上板から上方に向けて突出したサポート支柱正面にＴ字状乃至十字状を呈するように起立した引掛突起を備えて形成し，該引掛突起を上記水平溝に挿入した後，サポート支柱を回動し，該引掛突起を支持金具の底板上面に載置することによってその着脱自在の連結を行なう構造のものとされている。
【０００４】
【特許文献１】特開平９−２２１９２８号
【発明の開示】
【発明が解決しようとする課題】
【０００５】
この場合，必要なときにサポート支柱による屋根の簡易にして確実な支承が可能となる一方，支承の不要時にはサポート支柱を撤去してサポート支柱が邪魔になるのを防止することによってカーポートを使い勝手のよいものとすることができ，またサポート支柱の地表側にあっては，サポート支柱下端のフックを地表に埋込固定されたフック受に対して引掛係合することによって，そのサポート支柱の連結を確実且つ強固に行なうことが可能となり，特段の問題はない。
【０００６】
しかし乍らサポート支柱の屋根自由端側にあっては，屋根自由端の支持金具が梁の下面から離隔した底板に設置された水平溝であり，これにサポート支柱上端のＴ字状乃至十字状の引掛突起を挿入した後に回動して支持金具の底面上に載置する連結構造のものとされるから，引掛突起のスムーズな挿入と回動を確保し得るようにするため，梁の下面と底板との間隔を引掛突起の高さより大きめに設定する必要が生じ，その結果，引掛係合した引掛突起が，支持金具の底板上で遊嵌状態となって，例えば屋根が強風で煽られて屋根自由端が揺動すると，屋根自由端に設置された支持金具も上下に揺動して，引掛金具がその底板上で該底板から離接の上下動を繰返す結果，底板に対して引掛金具が載置状態に復帰する時に衝接することによって金属騒音が頻繁に繰り返し発生するという問題点が残されている。
【０００７】
本発明はかかる事情に鑑みてなされたもので，その解決課題とするところは，屋根自由端とサポート支柱上端とを簡易にして確実強固に連結できるとともに金属騒音を解消し得るようにした片持ちカーポートのサポート支柱上端連結装置を提供するにある。
【課題を解決するための手段】
【０００８】
上記課題に添って本発明は，屋根自由端側の支持金具を，その取付基部の下位に水平の支持杆を配置して形成し，またサポート支柱上端側の引掛金具を，円の中心線上の対向位置に開口して同一方向に横向きをなすように倒Ｌ字状にして対向一対のＬ字状引掛溝を上端に配置し，下部をサポート支柱に嵌挿固定する円筒状に形成し，支持金具の支持杆を対向一対のＬ字状引掛溝に挿入してＬ字状引掛溝の先端方向に回動するように引掛金具を支持金具に対して装着し，支持杆の長手方向２ヶ所を対向一対のＬ字状引掛溝の先端に位置した状態とすることによって，該引掛金具を介して屋根自由端にサポート支柱を連結し得るようにし，このとき支持杆に対する引掛金具の回動を妨げない程度に，上記Ｌ字状引掛溝，特に支持杆を受入れる部位の溝幅と支持杆の外径とを略等しくこれよりやや広くして，Ｌ字状引掛溝における支持杆の揺動を解消するようにしたものであって，即ち請求項１に記載の発明を，屋根自由端に取付固定自在の取付基部及びその下位に水平に配置した所定長さの支持杆を有する屋根側の支持金具と，サポート支柱上端中空部に嵌挿固定自在にして上記支持杆の長さより短い外径寸法の円筒状にして，その円周方向１８０度の対向位置上端に上向き開口する受入溝とこれに連続して円周の同一方向に向けて同長の長さとするとともに上記支持杆の外径と略等しくこれよりやや広い溝幅の横溝とにより倒Ｌ字状をなす対向一対のＬ字状引掛溝を有するサポート支柱側の円筒引掛金具とを備えてなることを特徴とする片持ちカーポートのサポート支柱上端連結装置としたものである。
【０００９】
請求項２に記載の発明は，上記に加えて，円筒引掛金具におけるＬ字状引掛溝の横溝の長さと受入溝の位置を規制することによって，支持金具に対する円筒引掛金具の回動角度を可及的に小さくし，サポート支柱の屋根自由端への連結に際して該サポート支柱の回動を可及的容易になし得るものとするように，これを，上記円筒引掛金具の横溝における同長の長さを１／８円とし且つその受入溝をサポート支柱中心線から１／８円の角度に変位した位置に配置することによって，サポート支柱の１／８円回動による支持金具の支持杆への引掛係合を自在としてなることを特徴とする請求項１に記載の片持ちカーポートのサポート支柱上端連結装置としたものである。
【００１０】
請求項３に記載の発明は，同じく上記に加えて，支持金具を可及的簡易な構造にして屋根自由端，特に梁先端に対して容易に取り付けることによって，支持杆を梁先端近傍に配置し得るようにするとともに支持杆を断面円形とすることによって，支持杆がＬ字状引掛溝の受入溝及び横溝に対してスムーズに受入回動し得るものとするように，これを，上記支持金具の取付基部を，梁先端に被嵌しボルトナットで締着固定するＵ字状に形成し且つ支持杆を，該Ｕ字状の取付基部から突出した一対の対向突片に架設設置した断面円形に形成してなることを特徴とする請求項１又は２に記載の片持ちカーポートのサポート支柱上端連結装置としたものである。
【００１１】
請求項４に記載の発明は，同じく上記に加えて，上記可及的簡易な構造をそのまま維持して上記支持杆を梁先端近傍の下位に位置するように配置することによって，サポート支柱の屋根自由端への連結を梁先端の下位で安定且つ確実に行ってサポート支柱による更に強固な連結をなし得るものとするように，これを，上記一対の対向突片を，Ｕ字状の取付基部の底板から垂下して突出し上記支持杆を梁先端下位にしてその直交方向に向けて配置してなることを特徴とする請求項３に記載の片持ちカーポートのサポート支柱上端連結装置としたものである。
【００１２】
本発明はこれらをそれぞれ発明の要旨として上記課題解決の手段としたものである。
【発明の効果】
【００１３】
本発明は以上のとおりに構成したから，請求項１に記載の発明は，屋根自由端とサポート支柱上端とを簡易にして確実強固に連結できるとともに金属騒音を解消し得るようにした片持ちカーポートのサポート支柱上端連結装置を提供することができる。
【００１４】
請求項２に記載の発明は，上記に加えて，円筒引掛金具におけるＬ字状引掛溝の横溝の長さと受入溝の位置を規制することによって，支持金具に対する円筒引掛金具の回動角度を可及的に小さくし，サポート支柱の屋根自由端への連結に際して該サポート支柱の回動を可及的容易になし得るものとすることができる。
【００１５】
請求項３に記載の発明は，同じく上記に加えて，支持金具を可及的簡易な構造にして屋根自由端，特に梁先端に対して容易に取り付けることによって，支持杆を梁先端近傍に配置し得るようにするとともに支持杆を断面円形とすることによって，支持杆がＬ字状引掛溝の受入溝及び横溝に対してスムーズに受入回動し得るものとすることができる。
【００１６】
請求項４に記載の発明は，同じく上記に加えて，上記可及的簡易な構造をそのまま維持して上記支持杆を梁先端近傍の下位に位置するように配置することによって，サポート支柱の屋根自由端への連結を梁先端の下位で安定且つ確実に行ってサポート支柱による更に強固な連結をなし得るものとすることができる。
【発明を実施するための最良の形態】
【００１７】
以下図面の例に従って本発明を更に具体的に説明すれば，Ａはカーポートであり，１はその支柱，２は梁，３は屋根，４は該屋根３の自由端と地表との間に介設し，該屋根３の自由端を支承することによって屋根３の強風による煽りや積雪による垂れ下りを防止するサポート支柱を示す。
【００１８】
サポート支柱４は長さ調整自在に構成し，その上端に配置したサポート支柱側の円筒引掛金具２０を屋根３自由端，本例にあっては梁２の先端に設置した屋根側の支持金具１０に引掛係合することによってこれらを着脱自在に連結し，下端に配置したフック３１を有するフック金具３０を地表に埋込設置した埋込金具４０のフック受４２に同じく引掛係合することによってこれらを着脱自在に連結して，上記屋根３の自由端と地表との間に該サポート支柱４を介設して屋根３の自由端を支承するようにしてあり，屋根３の自由端支承が不要な時期，即ち強風や積雪の予想されない時期には，該サポート支柱４を支持金具１０及び埋込金具４０から取り外して，屋根３の片側に配置した支柱１に上部金具１ａと下部金具１ｂを設置し，これらに上記円筒引掛金具２０とフック金具３０を支持することによって該支柱１にサポート支柱４を添設してその収納を行なうものとされている。
【００１９】
屋根側の支持金具１０は，屋根３自由端に取付固定自在の取付基部１１及びその下位に水平に配置した所定長さの支持杆１４を有する，例えば金属製金具としてあり，本例にあって該支持金具１０の取付基部１１は，これを，梁２先端に被嵌しボルトナットで締着固定するＵ字状に形成し且つ支持杆１４を，該Ｕ字状の取付基部１１から突出した一対の対向突片１３に架設設置した断面円形に形成したものとしてあり，本例の上記一対の対向突片１３は，これを，Ｕ字状の取付基部１１の底板１２から垂下して突出し上記支持杆１４を梁２先端下位にしてその直交方向に向けて配置したものとしてある。
【００２０】
従って本例の支持金具１０は，そのＵ字状の取付基部１１を，本例にあってカーポート奥行方向に２本の梁２の各先端にその下側から被嵌し，取付基部１１，特にその側面からボルトを梁２を貫通するように挿通して該ボルトの先端にナットを螺着することによって，そのボルトナットによる締着固定を行なうとともにこの各梁２先端の下位にその下面から下方に離隔して梁２と直交方向に向うように支持杆１４を配置したものとしてある。
【００２１】
サポート支柱側の円筒引掛金具２０は，サポート支柱４上端中空部に嵌挿固定自在にして上記支持杆１４の長さより短い外径寸法の円筒状にして，その円周方向１８０度の対向位置上端に上向き開口する受入溝２２とこれに連続して円周の同一方向に向けて同長の長さとするとともに上記支持杆１４の外径と略等しくこれよりやや広い溝幅の横溝２３とにより倒Ｌ字状をなす対向一対のＬ字状引掛溝２１を有する，同じく例えば金属製金具としてあり，本例にあって該円筒引掛金具２０の横溝２３における同長の長さは，これを１／８円とし且つその受入溝２２をサポート支柱４中心線から１／８円の角度に変位した位置に配置することによって，サポート支柱４の１／８円回動による支持金具１０の支持杆１４への引掛係合を自在としたものとしてある。
【００２２】
即ち本例の円筒引掛金具２０は，例えば断面方形乃至矩形のサポート支柱４の中空部に４ヶ所乃至２ヶ所を内接乃至近接して嵌挿し得る外径を有する断面円形のパイプを所定の長さに切断し上記Ｌ字状引掛溝２１と嵌挿固定用のネジ孔２４を加工して構成した金属の円形パイプ製のものとしてあり，下部を上記サポート支柱４の中空部上端に嵌挿し，サポート支柱４外側からのネジによって正背面各上下２ヶ所でその固定を行なうとともに該嵌挿固定の状態で上記Ｌ字状引掛溝２１がサポート支柱４の上端縁から上方に突出して位置するようにしてある。
【００２３】
このとき本例のＬ字状引掛溝２１は，例えば受入溝２２と横溝２３とを上記断面円形の支持杆１４に合せた溝幅による同一溝幅として，その受入溝２２を円筒引掛金具２０の上端に円周方向１８０度の対向位置，即ちその中心線上の対向位置に上向きに開口した垂直溝とし，その横溝２３を該受入溝２２の下端から連続して円周方向，特にその同一方向に向けて１／８円，即ち４５度程度の角度をなす長さにして，本例にあって水平に配置した水平溝としてある。
【００２４】
本例の上記支持杆１４及びＬ字状引掛溝２１は，例えばこれを６〜７ｍｍの外径及び溝幅とすることによって略等しくし，このとき受入溝２２及び横溝２３の溝幅を１ｍｍ程度以下，例えば０．５ｍｍ程度を支持杆１４の外径よりやや幅広とするようにしてあり，これによってＬ字状引掛溝２１への支持杆１４の受入をスムーズにし且つ支持杆１４とＬ字状引掛溝２１との間の揺動可能性を解消したものとしてある。Ｌ字状引掛溝２１における支持杆１４外径より幅広とする寸法は，受入溝２２にあっては特段の制約がないが，横溝２３にあっては１ｍｍ程度以下，例えば０．数ｍｍ程度を基準に，特に０．５±０．２ｍｍ程度とするのが好ましく，これを上回ると支持杆１４がＬ字状引掛溝２１に遊嵌状となることから揺動の可能性が生じ，またこれを下回ると支持杆１４の回転移動がスムーズになし得なくなる可能性を生じる。
【００２５】
円筒引掛金具２０は，そのＬ字状引掛溝２１が上方に突出するようにサポート支柱４の上端中空部に嵌挿し，サポート支柱４の外側からネジ孔にネジを螺入してその固定を行なうことによってサポート支柱４上端に設置するものとしてある。
【００２６】
このように構成した支持金具１０と円筒引掛金具２０は，円筒引掛金具２０におけるＬ字状引掛溝２１の対向一対の受入溝２２を支持金具１０の支持杆１４長手方向２ヶ所に合せて円筒引掛金具２０を持上げ状とすることによって該対向一対の受入溝２２に単一の支持杆１４を受入れ，受入溝２２の下端に支持杆１４が当接したら円筒引掛金具２０を１／４円回動することによって，Ｌ字引掛溝２１の横溝２３に支持杆１４をスライド移動させ該対向一対の横溝２３先端に該支持杆１４を配置するようにすればよく，これによって支持金具１０の支持杆１４に円筒引掛金具２０のＬ字状引掛溝２１が引掛係合し，屋根３自由端，本例にあっては梁２にサポート支柱４が確実に連結支持されるに至る。このとき該連結支持は上記円筒引掛金具２０を１／４円回動すればよく，また該回動は，そのＬ字状引掛溝２１の溝幅を上記支持杆１４の外径と略等しくやや幅広とすることによって，スムーズな回動を阻害することなく支持杆１４がＬ字状引掛溝２１内で揺動するのを防止し，支持金具１０と円筒引掛金具２０の位置関係は常に一定に維持されるから，サポート支柱４が屋根３を確実且つ強固に支承し，屋根３の煽りを防止するとともに支持金具１０と円筒引掛金具２０の揺動によって生じる金属騒音の発生を確実に防止することができる。また本例にあってはＬ字状引掛溝２１の横溝２３を水平溝としたから，例えばこれを上向き傾斜の横溝又は下向き傾斜の横溝としたときのように，屋根３の煽りによる梁２先端の上下動で，支持杆１４がＬ字状引掛溝２１内でその長手方向に揺動してその定位置への復帰時に金属騒音を発生する可能性も解消できる。
【００２７】
サポート支柱４の介設は，該支持金具１０と円筒引掛金具２０によって梁２に該サポート支柱４を引掛係合して屋根３自由端への連結を行い，長さを調整したサポート支柱４の下端に配置したフック金具３０のフック３１を埋込金具４０のフック受４２に引掛係合してその地表への連結を行なえばよく，このときフック３１のフック受４２に対する引掛係合は梁２に連結したサポート支柱４を，支持杆１４を支点としてカーポートＡの側面に回動してこれを行なうのが一般であるから，上記支持杆１４に対するＬ字状引掛溝２１の引掛係合は，該サポート支柱４の回動を可能とするようにその連結を行なう必要がある。このため本例にあって支持金具１０の支持杆１４は屋根自由端長手方向に添って，梁２先端にこれと直交するように配置する一方，円筒引掛金具２０は，そのＬ字状引掛溝２１の受入溝２２をこれに対して１／４円変位した位置に開口し且つ円筒引掛金具２０の回動によってサポート支柱４が正面を向くようにするようにサポート支柱４に設置するものとしてある。本例のサポート支柱４はこれを方形乃至矩形断面としたことによって，上記Ｌ字状引掛溝２１の受入溝２２を，正面と側面の中間，方形断面のときは対角線上に配置するとともに横溝２３を正面と背面に向けて溝を形成するように配置したものとし，またフック３１をサポート支柱４の正面側に向けて係止片を突出するように配置し，更にフック受４２をカーポートＡの側面においてその奥行方向に向けて配置するように埋込金具４０を地表に埋め込み設置したものとしてある。
【００２８】
図中４３は埋込金具４０のアンカー，４４はサポート支柱４の不要時にこれを取り外した際，埋込金具４０のフック受４２を配置したボックス４１が上向きに開口し塵埃が入ったり，靴のかかとが引っ掛ったりするのを防止し，サポート支柱４の介設時に該ボックス４１を閉塞できるように埋込金具４０に設置した開閉自在の回動カバー，４５は上記フック受４２に一端を軸支し，回動カバー４４に他端を軸支することによって回動カバー４４をボックス４１上面と近傍地表上で回動開閉し得るようにした開閉リンクをそれぞれ示す。
【００２９】
図示した例は以上のとおりとしたが，支持金具の支持杆を屋根側枠先端の屋根自由端に設置すること，支持金具の支持杆を屋根自由端の正面に水平乃至傾斜して突出するように配置すること，受入溝を上向きＶ字状に開口してＬ字状引掛溝を形成すること，横溝を上向き乃至下向きに傾斜配置してＬ字状引掛溝を形成すること，この場合必要に応じて横溝の先端に支持杆嵌合部を形成して支持杆の揺動を可及的に防止するようにすること等を含めて，本発明の実施に当って，片持ちカーポート，屋根，サポート支柱，支持金具，その取付基部，支持杆，円筒引掛金具，そのＬ字状引掛溝，受入溝，横溝等の各具体的材質，形状，構造，これらの関係，これらに対する付加等は上記発明の要旨に反しない限り様々な形態のものとすることができる。
【図面の簡単な説明】
【００３０】
【図１】カーポートにサポート支柱を設置した状態を示す斜視図である。
【図２】支持金具，サポート支柱及び埋込金具の関係を示す斜視図である。
【図３】支持金具と円筒引掛金具の関係を示す斜視図である。
【図４】支持金具の斜視図である。
【図５】円筒引掛金具の斜視図である。
【図６】フック金具と埋込金具の関係を示す斜視図である。
【図７】回動カバーを半開放した状態の埋込金具の斜視図である。
【符号の説明】
【００３１】
Ａ  カーポート
１  支柱
２  梁
３  屋根
４  サポート支柱
１０  支持金具
１４  支持杆
２０  円筒引掛金具
２１  Ｌ字状引掛溝
２２  受入溝
２３  横溝
３０  フック金具
３１  フック
４０  埋込金具
４３  フック受
【図１】
2006052580.tif 000003
【図２】
2006052580.tif 000004
【図３】
2006052580.tif 000005
【図４】
2006052580.tif 000006
【図５】
2006052580.tif 000007
【図６】
2006052580.tif 000008
【図７】
2006052580.tif 000009